(57)【要約】【課題】天井パネルの落下のおそれがなく、かつ、施工性がよい天井パネルの設置構造および天井パネルを提供する。【解決手段】表面材１２と、この表面材１２の四周に設けられた枠部材１１、１１とを少なくとも有した天井パネル１０を、表面材１２が室内を向くようにして天井に固定する天井パネルの設置構造であって、天井パネル１０には、枠部材１１のうち対向する一対の枠部材１１の全長を含むパネル全長にわたって挿通孔１１ｃが開設されており、室内の対向する一対の壁面Ｗ１のそれぞれには、壁面Ｗ１に沿って横方向にレール３０が配設されており、挿通孔１１ｃが連通するように並べた複数の天井パネル１１の連通挿通孔にワイヤー２０を通して、そのワイヤー２０の一方の端部をレール３０のうちの一方のレール３０に取着し、他方の端部を他方のレール３０に取着して複数の天井パネル１１を支持するようになっている。【選択図】図１
2013234524.tif 000002
【特許請求の範囲】
【請求項１】
表面材と、この表面材の四周に設けられた枠部材とを少なくとも有した天井パネルを、前記表面材が室内を向くようにして天井に固定する天井パネルの設置構造であって、
前記天井パネルには、前記枠部材のうち対向する一対の枠部材の全長を含むパネル全長にわたって挿通孔が開設されており、
前記室内の対向する一対の壁面のそれぞれには、壁面に沿って横方向にレールが配設されており、
前記挿通孔が連通するように並べた複数の天井パネルの連通挿通孔にワイヤーを通して、そのワイヤーの一方の端部を前記レールのうちの一方のレールに取着し、他方の端部を他方のレールに取着して前記複数の天井パネルを支持することを特徴とする天井パネルの設置構造。
【請求項２】
請求項１において、
前記対向する一対の壁面とは異なる一対の壁面の対向方向にも天井パネルが並設され、その並設された両天井パネルが実結合により連結する構成とされており、
前記天井パネルは、前記枠部材のうち全長にわたり前記挿通孔を設けた２つの枠部材の少なくとも一方に、隣設される天井パネルを下方より支持する実部を備えている、天井パネルの設置構造。
【請求項３】
請求項２において、
前記天井パネルは、前記挿通孔を設けた２つの枠部材の両方に、隣設される天井パネルを下方より支持する実部を備えている、天井パネルの設置構造。
【請求項４】
請求項１〜３のいずれか１項において、
前記レールは、壁面に沿って配設された壁パネルによって支持されている、天井パネルの設置構造。
【請求項５】
請求項１〜４のいずれか１項に記載された天井パネルの設置構造で使用される天井パネル。
【発明の詳細な説明】
【技術分野】
【０００１】
本発明は、天井パネルを既存の天井に下方に取り付け固定する天井パネルの設置構造および天井パネルに関する。
【背景技術】
【０００２】
従来、内貼り用の天井パネルは、既存天井に対して接着あるいは実部におけるねじ止めによって取り付けされることが一般的であったが、天井パネルの落下防止のために、他の取り付け手法によって既存天井に固定する設置構造が提案されている（たとえば、特許文献１参照）。
【０００３】
同文献の天井パネルの設置構造は、天井パネルの裏面に設けたフックを、天井近傍で水平に張設したワイヤーに引っ掛けるようにして天井パネルを配設するものである。
【先行技術文献】
【特許文献】
【０００４】
【特許文献１】実開平４−１３２１１３号公報
【発明の概要】
【発明が解決しようとする課題】
【０００５】
しかしながら、上記文献記載の天井パネルの設置構造は、天井パネルの取り付けに際し、裏面のフックを上方のワイヤーに引っ掛ける構造であるため、施工を迅速に行えないという問題がある。
【０００６】
本発明は、このような事情を考慮して提案したもので、その目的は、天井パネルの落下のおそれがなく、かつ、施工性がよい天井パネルの設置構造および天井パネルを提供することにある。
【０００７】
また、既存天井が天井パネルの重量により保持できず崩れた場合でも、既存天井の居室空間への落下を防止できるようにすることをさらなる目的としている。
【課題を解決するための手段】
【０００８】
上記目的を達成するために、本発明に係る天井パネルの設置構造は、表面材と、この表面材の四周に設けられた枠部材とを少なくとも有した天井パネルを、表面材が室内を向くようにして天井に固定する天井パネルの設置構造であって、天井パネルには、枠部材のうち対向する一対の枠部材の全長を含むパネル全長にわたって挿通孔が開設されており、室内の対向する一対の壁面のそれぞれには、壁面に沿って横方向にレールが配設されており、挿通孔が連通するように並べた複数の天井パネルの連通挿通孔にワイヤーを通して、そのワイヤーの一方の端部をレールのうちの一方のレールに取着し、他方の端部を他方のレールに取着して複数の天井パネルを支持することを特徴とする。
【０００９】
本発明において、対向する一対の壁面とは異なる一対の壁面の対向方向にも天井パネルが並設され、その並設された両天井パネルが実結合により連結する構成とされており、天井パネルは、枠部材のうち全長にわたり挿通孔を設けた２つの枠部材の少なくとも一方に、隣設される天井パネルを下方より支持する実部を備えた構成としてもよい。
【００１０】
また、本発明において、天井パネルは、挿通孔を設けた２つの枠部材の両方に、隣設される天井パネルを下方より支持する実部を備えた構成としてもよい。
【００１１】
さらに、本発明において、レールは、壁面に沿って配設された壁パネルによって支持される構成としてもよい。
【００１２】
また、本発明に係る天井パネルは、上述の天井パネルの設置構造で使用されるものとしてもよい。
【発明の効果】
【００１３】
本発明に係る天井パネルの設置構造または天井パネルによれば、上述のような構成としたことで、天井パネルの落下を防止することができ、かつ、施工性をよくすることもできる。
【図面の簡単な説明】
【００１４】
【図１】（ａ）は、本発明の一実施形態に係る天井パネルの設置構造の要部を示す縦断面図である。（ｂ）は、ワイヤーの固定動作を示す部分拡大斜視図である。
【図２】（ａ）は、同設置構造において使用される天井パネルの平面図である。（ｂ）は、（ａ）のＸ−Ｘ線矢視拡大断面図である。（ｃ）は、天井パネルの設置状態を示す概略平面図である。
【図３】（ａ）は、本発明の他の実施形態に係る天井パネルの設置構造で設置された天井パネルの設置状態を示す概略平面図である。（ｂ）は、（ａ）のＢ−Ｂ線矢視拡大断面図である。
【図４】図３（ａ）に示した実施形態の他例として示した図であり、図３（ａ）のＹ−Ｙ線に対応した矢視拡大断面図である。
【発明を実施するための形態】
【００１５】
以下に、本発明の実施の形態について、添付図面を参照しながら説明する。
【００１６】
この天井パネル１０は、既存天井Ｃの下方に後付けされる天井パネルであって、対向する一対の壁面Ｗ１、Ｗ１（図２（ｂ）参照）間に架け渡すように設置されるものである。
【００１７】
天井パネル１０は、図２（ａ）（ｂ）に示すように、平面視で略矩形状（図例では長方形状）とされ、内部に真空断熱材１４と発泡性断熱材１５とを備え、四周に枠部材１１を配し、上下に表面材１２、裏面材１３を配した構成とされる。
【００１８】
枠部材１１としては、たとえば合板や樹脂材（たとえば低倍率発泡ポリスチレンなど）が使用できる。枠部材１１として、長手方向の両端部に対向配置される短枠部材（不図示）と、長手方向に沿って対向配置される長枠部材１１とが用いられる。なお、短枠部材（不図示）は長枠部材１１、１１に挟まれるようにして配されている。
【００１９】
また、この天井パネル１０は、隣設される天井パネル１０とあいじゃくりにより実結合される形状となっており、対向する一対の長枠部材１１、１１の一方には下実部１１ｃが、他方には上実部１１ｂが形成されている。天井パネル１０の長手方向の端部（短枠部材）にも、一方に下実部１０ｂが、他方に上実部１０ａが形成されている。
【００２０】
さらに、両長枠部材１１、１１のそれぞれには、その長枠部材１１の長手方向の全長を含む天井パネル１０の全長にわたり、挿通孔１１ｃが開設されている。この挿通孔１１ｃは、後述するように天井パネル１０の全長に対してワイヤー２０を挿通させるための孔である。
【００２１】
表面材１２および裏面材１３としては、合板、ＭＤＦなどの木質材や石膏、樹脂などを材料とした板材を使用できるがこれらには限定されない。
【００２２】
真空断熱材１４は、より高い断熱性能を得るための材料であり、芯材をガスバリア性の包装材で外装して真空吸引することにより形成されたものなどが使用できる。また、発泡性断熱材１５としては、グラスウールやポリスチレンフォーム（発泡ＰＳ）、ポリエチレンフォーム（発泡ＰＥ）、硬質ウレタンフォームなどの各種フォーム系（発泡系）の液状材料が用いられる。
【００２３】
この天井パネル１０は、図２（ｃ）に示すように、対向する一対の壁面Ｗ１、Ｗ１間に架け渡すように取り付けされ、それら複数の天井パネル１０、１０、・・・のうちの両端の天井パネル１０、１０は、図１（ａ）に示すように、側端部がレール３０に取着される。後述するように、これら複数の天井パネル１０、１０、・・・は２本のワイヤー３０によって吊支持される。これら複数の天井パネルを、以下では天井パネルブロックＢという。なお、図２（ｃ）および後述する図３（ａ）では、天井パネル１０、１０、・・・のみを図示し、壁面Ｗ１への取付構造（レール３０およびレール固定具４０）については図示を省略している。
【００２４】
このレール３０は、壁面Ｗ１に天井パネル１０の幅方向に沿って取り付けされる長尺状の取付具であり、固定部３３と、ワイヤー固定部３２と、天井パネル嵌合部３１とを備えている。レール３０は、この固定部３３がレール固定具４０と、壁パネル固定具５０とによって挟持固定される取付構造となっている。
【００２５】
レール固定具４０は、長尺状のレール３０をその長手方向の適所で固定できる断面略Ｌ字形状の固定具である。レール固定具４０は、天井側片４１と壁側片４２とよりなり、既存天井Ｃと壁面Ｗ１とに対してねじＮにより取着される。また壁パネル固定具５０は、壁パネルＰの上部を嵌合固定する壁パネル嵌合部５１と、その上方のレール支持部５２とを一体に備えており、壁面Ｗ１に取り付けたレール固定具４０の壁側片４２を介して壁面Ｗ１にねじＮで固定される構造となっている。
【００２６】
このようにして既存天井Ｃ、壁面Ｗ１に固定された、レール固定具４０の天井側片４１と、壁パネル固定具５０のレール支持部５２との間にレール３０の固定部３３が挟持され、固定部３３とレール支持部５２がねじＮで固定されて、レール３０自体が固定された状態となっている。
【００２７】
また、壁パネル固定具５０は、レール固定具４０との挟持によりレール３０を挟持固定する構成であり、レール３０の固定部３３の厚み寸法に応じて、壁パネル固定具５０の取り付け高さ位置を適宜調節することができるようになっている。
【００２８】
このように固定されたレール３０の前方部には、上下板片よりなる天井パネル嵌合部３１が設けられている。この天井パネル嵌合部３１に天井パネル１０の側端部が嵌合されるようになっている。なお、天井パネル嵌合部３１の下板片には、ねじ止め部を隠すカバー材（不図示）を取り付けるためのカバー材嵌合部３４が形成されている。
【００２９】
天井パネル１０の挿通孔１１ｃには、たとえば金属製のワイヤー２０が挿通され、図２（ｃ）に示すように、天井パネルブロックＢの全天井パネル１０、１０、・・・の連通した挿通孔１１ｃに挿通される。なお、天井パネル１０は、化粧された表面材１２が室内（下方）を向くように配される。
【００３０】
壁面Ｗ１側に配される天井パネル１０の挿通孔１１ｃからは、ワイヤー２０の端部に形成されたワイヤー止具２１が突出しており、そのワイヤー止具２１が、レール３０の天井パネル嵌合部３１の後部に形成されたワイヤー固定部３２に固定されるようになっている。
【００３１】
ワイヤー固定部３２は、上下に分かれて対向する２対の挟持片３２ａ、３２ａ、・・・を備えている。ワイヤー止具２１は、その上部が上の挟持片３２ａ、３２ａ間に挟まれ、下部が下の挟持片３２ａ、３２ａ間に挟まれて固定される。
【００３２】
ワイヤー止具２１は、図１（ｂ）に２点鎖線で示したように横方向に向けた状態にして、上下の挟持片３２ａ、３２ａ、・・・間の隙間３２ｂに挿入され、その位置で図１（ｂ）のように回転させることで、ワイヤー固定部３２の空隙３２ｃ、３２ｃに圧入されて固定される。
【００３３】
本実施形態では、レール３０の天井パネル嵌合部３１およびワイヤー固定部３２が長手方向に沿って連続的に形成されたものであるため、天井パネル１０をレール３０の長手方向のいずれの位置にでも固定することができる。取付位置の調整もずらすだけで簡単に行える。
【００３４】
なお、ワイヤー２０はレール３０に対して他の手段により取着されてもよい。たとえば、ワイヤーをレールに引っ掛けて固定する構造としてもよいし、ワイヤーをレールにねじ止めする構造としてもよい。
【００３５】
また、他の壁面Ｗ１側に取り付けられる天井パネル１０についても、上述したパネル設置構造と同様の構造によって取り付けされる。
【００３６】
さらに、天井パネル１０の幅方向の他の端部側についても、枠部材１１に形成された挿通孔１１ｃにワイヤー２０が挿通されている。こうして、図２（ｃ）に示すように、対向する一対の壁面Ｗ１、Ｗ１間に並べられた複数の天井パネル１０、１０、・・・（天井パネルブロックＢ）が、２本のワイヤー２０、２０によって吊支持される。
【００３７】
なお、天井パネルブロックＢにおける天井パネル１０、１０間の連結は、長手方向の端部に形成された上実部１０ａと下実部１０ｂの結合によってなされる。
【００３８】
また、上記一対の壁面Ｗ１、Ｗ１とは異なる一対の壁面Ｗ２、Ｗ２の対向方向（天井パネルの幅方向）にも、上述した天井パネルの設置構造によって、同様に天井パネルブロックＢが２本のワイヤー２０、２０により吊支持される。それら複数の天井パネルブロックＢ、Ｂがそれぞれ吊支持されることで、内貼り天井面が形成される。
【００３９】
また、天井パネル１０の幅方向における天井パネル１０、１０間の連結は、短手方向の端部に形成された上実部１１ａと下実部１１ｂの結合によってなされる。
【００４０】
このように、本天井パネルの設置構造は、対向する一対の壁面Ｗ１、Ｗ１間に並べられた複数の天井パネル１０、１０、・・・（天井パネルブロックＢ）を、壁面Ｗ１、Ｗ１間に固定した２本のワイヤー２０、２０によって吊支持される構成となっている。そのため、ワイヤー２０をレール３０にしっかりと固定しておくかぎりは、天井パネル１０自体が落下するおそれはない。また、ワイヤー２０を挿通孔１１ｃに通して両端を壁面Ｗ１、Ｗ１に固定するだけの構成であるため、施工を簡易、迅速に行うことができる。
【００４１】
また、レール３０はレール固定具４０と壁パネル固定具５０とにより挟持固定される構成となっているため、レール３０間に配された天井パネル１０、１０、・・・（天井パネルブロックＢ）をずれなく固定することができる。また、レール３０は壁パネル固定具５０およびそれに固定した壁パネルＰにより下方から支持されるので安定感がよく、天井パネル１０の落下をさらに防止できる構成となっている。
【００４２】
また、天井パネル１０は短手方向の端部の一方に下実部１１ｂを備えているので、隣設される天井パネルブロックＢを下方より補助的に支持することができる。さらに、この実構造により複数の天井パネルブロックＢ、Ｂの一体感が生まれ、既存天井Ｃが崩れた場合でも、既存天井Ｃを複数の天井パネルブロックＢ、Ｂで受け止めることができる。たとえば、天井パネルブロックＢを構成する天井パネル１０が、短手方向の端部側で、上実部１１ａ、下実部１１ｂ、上実部１１ａ、・・・と交互に実部を配するようにすれば、隣り合う天井パネルブロックＢ同士が相互に支持しあう構成とすることができる。
【００４３】
なお、天井パネル１０をより強固に固定するために、上述のワイヤーによる天井パネル１０の吊支持とともに、天井パネル１０の既存天井Ｃへのねじ止めを補助的に行ってもよい。
【００４４】
ついで、本発明の他の実施形態について、図３および図４を参照しながら説明する。
【００４５】
この実施形態で使用される天井パネル１０は、対向する一対の長枠部材１１、１１の両方に上実部１１ａ、１１ａあるいは下実部１１ｂ、１１ｂが形成されている。
【００４６】
この実施形態では、図３（ａ）（ｂ）に示すように、下実部１１ｂ、１１ｂが形成された複数の天井パネル１０、１０、・・・よりなる天井パネルブロックＢと、上実部１１ａ、１１ａが形成された複数の天井パネル１０、１０、・・・よりなる天井パネルブロックＢとが交互に配置されている。そして、下実部１１ｂ、１１ｂが形成された複数の天井パネル１０、１０、・・・よりなる天井パネルブロックＢだけが、挿通孔１１ｃ、１１ｃに通した２本のワイヤー２０、２０で吊支持されるようになっている。
【００４７】
すなわち、上実部１１ａが形成された天井パネルブロックＢは、両隣に配設される天井パネルブロックＢ、Ｂの下実部１１ｂにより支持される構成となっている。天井パネルブロックＢが両隣の天井パネルブロックＢ、Ｂ（下実部１１ｂ、１１ｂ）で支持されるようにすることで、上実部１０ａ、１０ａが形成された天井パネルブロックＢはワイヤー２０で吊支持されないようにしてもよい。このようにすれば、使用するワイヤー２０を少なくできす。もちろん、上実部１０ａ、１０ａが形成された天井パネルブロックＢもワイヤー２０により吊支持するようにしてもよい。
【００４８】
このように、天井パネルブロックＢを両隣の天井パネルブロックＢで支持する構成であるため、天井パネルブロックＢ、Ｂ同士の結合性は高く、既存天井Ｃが崩れた場合でも、既存天井Ｃを天井パネル面で受け止めることができる。
【００４９】
図３（ｂ）に示した例は、隣り合う天井パネルブロックＢ、Ｂは天井パネル１０の形状が異なっているが、図４のように、同一の天井パネル１０、１０、・・・を天井パネルブロックＢごとに表、裏、表、裏と交互に配するようにしてもよい。表裏交互に取り付けるので、裏面材１３も表面材１２と同様に化粧材で構成する必要があることはいうまでもない。表面材１２と、裏面材１３とを異なる模様にすれば、種々の意匠の天井面を形成することができる。
【００５０】
このように、１種類の天井パネル１０で天井パネル面を構成できるので、部材点数を少なくすることができ、管理の手間を軽減することができる。
【符号の説明】
【００５１】
１０      天井パネル
１０ａ    上実部
１０ｂ    下実部
１１      枠部材（長枠部材）
１１ａ    上実部
１１ｂ    下実部
１１ｃ    挿通孔
１２      表面材
２０      ワイヤー
２１      ワイヤー止具
３０      レール
４０      レール固定具
Ｐ        壁パネル
Ｗ１、Ｗ２    壁面
【図１】
2013234524.tif 000003
【図２】
2013234524.tif 000004
【図３】
2013234524.tif 000005
【図４】
2013234524.tif 000006